(57)【要約】【課題】電力を節約し、ユーザーの安全を確保するために、ユーザーの存在に基づいて対応する機能を自動的に実行すること【解決手段】イベント管理方法は、イベント管理装置によって実行される。無人モードを実行してイベント起動信号を受信すると、イベント管理装置は、警告モードを実行し、計時を開始する。経過時間が予め設定された存続時間を超え、認証手順を通過したモバイル機器がない場合、イベント管理装置は警戒モードを実行する。経過時間が予め設定された持続時間を超えず、少なくとも１つのモバイル機器が認証手順を通過すると、イベント管理装置はホームモードを実行する。したがって、イベント管理装置は、様々なイベント信号に従って対応するアクションをとることができ、イベント実行部を制御して、不要な電力浪費を回避するために対応するモードを実行することができる。【選択図】図１Ａ
2020191078.tif 000002
【特許請求の範囲】
【請求項１】
少なくとも１つの検出部および少なくとも１つのイベント実行部を含むイベント管理装置の主制御部によって実行されるイベント管理方法であって、
無人イベント信号を生成し、前記無人イベント信号を前記少なくとも１つのイベント実行部のそれぞれに送信する無人モードを実行することと、
前記少なくとも１つの検出部のいずれかが、イベント起動信号を生成したか否かを判断することと、
前記イベント起動信号を生成したと判断されると、警告イベント信号を生成し、前記警告イベント信号を対応する前記イベント実行部に送信する警告モードを実行することと、
計時部の計時を停止してリセットすることと、
計時を開始するために前記計時部を起動することと、
利用可能なモバイル機器があるか否かを判断して、認証手順を通過することと、
利用可能なモバイル機器があり、前記認証手順を通過した場合、ホームイベント信号を生成し、前記ホームイベント信号を前記少なくとも1つのイベント実行部のそれぞれに送信するホームモードを実行し、そうでない場合、前記計時部の経過時間が予め設定された存続時間を超えているか否かを判断することと、
前記経過時間が予め設定された前記存続時間を超えている場合、警戒イベント信号を生成し、前記警戒イベント信号を対応する前記イベント実行部に送信する警戒モードを実行することと、
前記経過時間が予め設定された前記存続時間を超えていない場合、利用可能なモバイル機器があるか否かの判断を再開して、前記認証手順を通過することとを含む、イベント管理方法。
【請求項２】
請求項１に記載のイベント管理方法において、
ホームイベント信号を生成し、前記ホームイベント信号を前記少なくとも１つのイベント実行部のそれぞれに送信する前記ホームモードを実行する場合、
利用可能なモバイル機器があるか否かを判断して、認証手順を通過することと、
利用可能なモバイル機器があると判断して、前記認証手順を通過した場合、利用可能なモバイル機器があるか否かの判断を再開して、前記認証手順を通過し、そうでない場合、前記無人モードを実行することとを含み、
警戒イベント信号を生成し、前記警戒イベント信号を対応する前記イベント実行部に送信する前記警戒モードを実行する場合、
前記主制御部がホームモード設定信号を受信したか否かを判断することと、
前記ホームモード設定信号を受信したと判断された場合、前記ホームモードを実行することと、
前記ホームモード設定信号を受信していないと判断された場合、前記主制御部が無人モード設定信号を受信したか否かを判断することと、
前記無人モード設定信号を受信したと判断された場合、前記無人モードを実行し、そうでない場合、前記主制御部が前記ホームモード設定信号を受信したか否かの判断を再開することとを含む、イベント管理方法。
【請求項３】
請求項１に記載のイベント管理方法において、
前記イベント管理装置の認証部によって実行される前記認証手順は、
前記利用可能な前記モバイル機器から送信された無線信号を受信したか否かを判断するステップと、
前記モバイル機器からの前記無線信号を受信した場合、前記無線信号における前記機器情報が、前記認証部での前記モバイル機器の登録時の登録情報と同一であるか否かを判断するステップと、
前記機器情報が前記登録情報と同一である場合、前記無線信号における前記機器情報が記録リストに記録されているか否かを判断するステップと、
前記機器情報が前記記録リストに記録されている場合、前記無線信号における前記機器情報に対応する記録時刻を現在時刻に変更することによって前記記録リストを更新し、前記モバイル機器の前記無線信号を受信したか否かの判断を再開するステップと、
前記機器情報が前記記録リストに記録されていない場合、前記無線信号における前記機器情報および前記現在時刻を前記記録リストに記録し、認証完了信号を生成して送信し、前記モバイル機器の前記無線信号を受信したか否かの判断を再開するステップと、
前記機器情報が前記登録情報と同一でない場合、前記利用可能なモバイル機器から送信された無線信号を受信したか否かの判断を再開するステップと、
前記モバイル機器からの前記無線信号を受信していない場合、前記記録リストにおける前記機器情報の各部に対応する前記記録時刻と前記現在時刻との間の時間差が、予め設定された存続時間より長いか否かを判断するステップとを含み、
前記時間差が予め設定された前記存続時間より長い場合、前記現在時刻までに経過した前記時間差が予め設定された前記存続時間を超える、前記記録時刻に対応する前記機器情報の部分を前記記録リストから削除し、認証失敗信号を生成して、前記モバイル機器の前記無線信号を受信したか否かの判断を再開し、そうでない場合、前記モバイル機器の前記無線信号を受信したか否かの判断を再開する、イベント管理方法。
【請求項４】
請求項１に記載のイベント管理方法において、
前記イベント管理装置の認証部によって実行される前記認証手順は、
前記認証部が前記登録されたモバイル機器との接続を正常に確立したか否かを判断するステップと、
前記接続が正常に確立されている場合、前記接続が正常に確立した前記利用可能なモバイル機器の前記機器情報を前記記録リストに記録し、認証完了信号を生成して送信し、前記認証部が前記登録されたモバイル機器との接続を正常に確立したか否かの判断を再開するステップと、
前記接続が正常に確立されている前記利用可能なモバイル機器がその接続を失ったか否かを判断し、前記接続が正常に確立されている前記モバイル機器を削除してその接続を前記記録リストから失くし、認証失敗信号を生成して、前記認証部が前記登録されたモバイル機器との接続を正常に確立したか否かの判断を再開するステップと、
前記接続が正常に確立されていない場合、前記認証部が前記登録されたモバイル機器との接続を正常に確立したか否かの判断を再開するステップとを含む、イベント管理方法。
【請求項５】
請求項１に記載のイベント管理方法において、
前記イベント管理装置は、スマートフォンを含んでおり、
前記スマートフォンは、ソフトウェアアプリケーションがインストールされており、前記主制御部と、複数の前記イベント実行部とを含む、イベント管理方法。
【発明の詳細な説明】
【技術分野】
【０００１】
本発明は、管理方法に関し、特に、イベント管理方法に関する。
【背景技術】
【０００２】
特許文献１は、存在情報に基づく自動化された装置／システムのセットアップに関するものである。
【０００３】
現代人の暮らしや生活空間には、例えば、オフィスのコンピューター、扇風機、エアコン、照明器具など、または、家庭のテレビ、コンピューター、扇風機、エアコン、照明器具、給湯器など、さまざまな電化製品が溢れています。
【０００４】
ユーザーがこれらの電化製品を作動させると、それらの電化製品は電力を消費し始めます。これらの電化製品が必要でない場合、ユーザーはそれらの電化製品の電源を切るか、それらを制御して、電力消費を削減し、離れる前に電力の浪費を回避するためにスタンバイ状態にする必要がある。しかしながら、電源を切らずに急いで立ち去るなどの理由で電気製品が稼働し続けると、不要な電力の浪費は避けられない。
【０００５】
人が不在の状態でこれらの電化製品が作動し続けると、電気の浪費の他に、電電熱器の連続稼働による火災などの悲劇的な結果が、無人の状況から発生する場合があります。
【０００６】
悲劇的な結果に加えて、プライバシーに対する懸念のために、監視システムのユーザーは、家やオフィスにいるときにはそのシステムをシャットダウンしたいと考えていますが、監視システムのシャットダウン後、監視システムのアラーム設定が再び作動状態にならないと、監視システムの目的が無効になる場合があります。
【０００７】
さらに、コストを考慮して、従来の監視システムの記憶領域を節約しながらコストを節約するために、通常は周期的な録画が適用されますが、古いが重要なビデオは新しいビデオによって上書きされる。重要なイベントのビデオがずっと前に録画された場合、そのようなビデオは周期的な録画の結果としてもはや存在しない可能性がある。したがって、従来の電化製品の管理方法をさらに改善する必要があります。
【先行技術文献】
【特許文献】
【０００８】
【特許文献１】ＵＳ２０１２／０１１２８７７Ａ１
【発明の概要】
【発明が解決しようとする課題】
【０００９】
本発明の目的は、電力を節約し、ユーザーの安全を確保するために、ユーザーの存在に基づいて対応する機能を自動的に実行することができるイベント管理方法を提供することである。
【課題を解決するための手段】
【００１０】
上記の目的を達成するために、イベント管理方法は、少なくとも１つの検出部および少なくとも１つのイベント実行部を含むイベント管理装置の主制御部によって実行される。イベント管理方法は、
無人イベント信号を生成し、前記無人イベント信号を前記少なくとも１つのイベント実行部のそれぞれに送信する無人モードを実行することと、
前記少なくとも１つの検出部のいずれかが、イベント起動信号を生成したか否かを判断することと、
前記イベント起動信号を生成したと判断されると、警告イベント信号を生成し、前記警告イベント信号を対応する前記イベント実行部に送信する警告モードを実行することと、
計時部の計時を停止してリセットすることと、
計時を開始するために前記計時部を起動することと、
利用可能なモバイル機器があるか否かを判断して、認証手順を通過することと、
利用可能なモバイル機器があり、前記認証手順を通過した場合、ホームイベント信号を生成し、前記ホームイベント信号を前記少なくとも1つのイベント実行部のそれぞれに送信するホームモードを実行し、そうでない場合、前記計時部の経過時間が予め設定された存続時間を超えているか否かを判断することと、
前記経過時間が予め設定された前記存続時間を超えている場合、警戒イベント信号を生成し、前記警戒イベント信号を対応する前記イベント実行部に送信する警戒モードを実行することと、
前記主制御部がホームモード設定信号を受信したか否かを判断することと、
前記ホームモード設定信号を受信したと判断された場合、前記ホームモードを実行することと、
利用可能なモバイル機器があるか否かを判断して、認証手順を通過することと、
利用可能なモバイル機器があると判断して、前記認証手順を通過した場合、利用可能なモバイル機器があるか否かの判断を再開して、前記認証手順を通過し、そうでない場合、前記無人モードを実行することと、
前記ホームモード設定信号を受信していないと判断された場合、前記主制御部が無人モード設定信号を受信したか否かを判断することと、
前記無人モード設定信号を受信したと判断された場合、前記無人モードを実行し、そうでない場合、前記主制御部が前記ホームモード設定信号を受信したか否かの判断を再開することと、
前記経過時間が予め設定された前記存続時間を超えていない場合、利用可能なモバイル機器があるか否かの判断を再開して、前記認証手順を通過することとを含む。
【００１１】
前記イベント管理方法は、前記イベント管理装置の前記主制御部によって実行される。前記ホームモードを実行すると、前記主制御部は、利用可能なモバイル機器があるか否かを判断し、前記認証手順を通過して、現在利用可能なモバイル機器が前記イベント管理装置の近くにあることを確認し、ユーザーが家にいるか否かを確認する。前記ホームモードを実行し、前記ホームイベント信号を生成すると、前記主制御部は、少なくとも1つの前記イベント実行部を制御して、照明器具またはエアコンを自動的にオンにする、または、監視システムのカメラをオフにするなどの対応する有人アクションを実行する。前記モバイル機器が前記認証手順を通過しなかった場合、前記主制御部は、前記無人モードを実行して前記無人イベント信号を生成し、少なくとも1つの前記イベント実行部を制御して、照明器具およびエアコンを自動的にオフにするなどの対応する無人アクションを実行する。加えて、前記無人モードを実行すると、前記主制御部は、さらに、少なくとも１つの前記検出部が見知らぬ人の侵入を判定するための前記イベント起動信号を生成するか否かを判断する。前記イベント起動信号が生成されると、前記主制御部は、前記計時部の計時を停止およびリセットする。
【００１２】
利用可能なモバイル機器があり、予め設定された存続時間中に前記認証手順を通過した場合、それはユーザーが家にいることを示し、前記主制御部はホームモードを実行する。利用可能なモバイル機器がなく、予め設定された存続時間中に前記認証手順を通過した場合、見知らぬ人の侵入が発生したことを示し、前記主制御部は、前記警戒モードを実行して前記警戒イベント信号を生成し、対応するイベント実行部を制御して、対応するアクションを実行する。
【発明の効果】
【００１３】
したがって、前記イベント管理装置は、モードを自動的に切り替え、少なくとも１つの前記イベント実行部を自動的に制御して、不要な電力浪費を回避し、ユーザーのプライバシーを保護するための対応するアクションを実行することができる。周期的な記録のために重要なビデオを消去することなく重要なビデオを記録するために、監視システムを重要な瞬間に開始することができる。
【図面の簡単な説明】
【００１４】
【図１Ａ】本発明に係るイベント管理方法の第１の実施形態のフロー図である。
【図１Ｂ】本発明に係るイベント管理方法の第１の実施形態のフロー図である。
【図２】本発明に係るイベント管理装置の機能ブロック図である。
【図３】図２のイベント管理装置の動作を示す概略図である。
【図４】図１Ａおよび図１Ｂのイベント管理方法に係る認証手順の第１の実施形態のフロー図である。
【図５】図１Ａおよび図１Ｂのイベント管理方法に係る認証手順の第２の実施形態のフロー図である。
【発明を実施するための形態】
【００１５】
図１Ａ、図１Ｂおよび図２に示すように、本発明によるイベント管理方法は、主制御部２３、少なくとも１つの検出部２１、および少なくとも１つのイベント実行部２２を含むイベント管理装置デバイスによって実行され、順次実行される以下のステップを含む。
【００１６】
ステップＳ１０１：無人モードを実行して無人イベント信号を生成し、無人イベント信号を少なくとも１つのイベント実行部のそれぞれに送信する。
【００１７】
ステップＳ１０２：複数の検出部のいずれかがイベント起動信号を生成するか否かを判断する。肯定の場合、ステップＳ１０２１を実行する。そうでない場合、ステップＳ１０２を実行する。
【００１８】
ステップＳ１０２１：警告モードを実行して警告イベント信号を生成し、警告イベント信号を対応するイベント実行部に送信する。
【００１９】
ステップＳ１０２２：計時部の計時を停止してリセットする。
【００２０】
ステップＳ１０２３：計時部を作動させて計時を開始する。
【００２１】
ステップＳ１０２４：利用可能なモバイル機器があるか否かを判断し、認証手順を通過する。肯定の場合、ステップＳ１０６を実行する。そうでない場合、ステップＳ１０２５を実行する。
【００２２】
ステップＳ１０２５：計時部の経過時間が予め設定された存続時間を超えているか否かを判定する。肯定の場合、ステップＳ１０３を実行する。そうでない場合、ステップＳ１０２４を実行する。
【００２３】
ステップＳ１０３：警戒モードを実行して警戒イベント信号を生成し、警戒イベント信号を対応するイベント実行部に送信する。
【００２４】
ステップＳ１０４：ホームモード設定信号を受信したか否かを判断する。主制御部がホームモード設定信号を受信すると、ステップＳ１０６を実行する。そうでない場合、ステップＳ１０５を実行する。
【００２５】
ステップＳ１０５：無人モード設定信号を受信したか否かを判断する。主制御装置が無人モード設定信号を受信すると、ステップＳ１０１を実行する。そうでない場合、ステップＳ１０４に戻る。
【００２６】
ステップＳ１０６：ホームモードを実行してホームイベント信号を生成し、ホームイベント信号を少なくとも１つのイベント実行部のそれぞれに送信する。
【００２７】
ステップＳ１０６１：利用可能なモバイル機器があり、認証手順を通過するか否かを判断する。利用可能なモバイル機器があり、認証手順を通過した場合は、ステップＳ１０６１を再開する。そうでない場合、ステップＳ１０１を実行する。
【００２８】
本発明は、３つの目的を有する。１つ目は、高度な自動化を保証するために、ユーザーの操作をできるだけ減らすことである。２つ目は、イベント管理装置のすべての要素が統合されたインターフェイスを提供して、要素の多様化を保証し、設計の複雑さを軽減し、再利用性を高めるために、共同で動作させることである。３つ目は、様々な顧客の要件に合わせて調整された柔軟な装置を提供することである。
【００２９】
例えば、図３に示すように、少なくとも１つの検出部２１は、領域で行われている活動を監視して、その領域が侵入されているか否かを検出する機能がある。各検出部２１は、赤外線ブレークビームセンサ、磁気センサ、動作検出器、重量センサなどである少なくとも１つのセンサ、または領域を検出および判断するためのインテリジェント監視カメラを含む。一実施形態では、ドアが開いているか否か、または侵入が起こっているか否かを判断するために、磁気センサがメインの入り口に設けられている。
【００３０】
検出部２１は、領域が侵入されたことを検出すると、イベント起動信号を有線または無線により主制御部２３に送信する。
【００３１】
モバイル機器１０は、ユーザーによって携帯されており、認証部２４が、ユーザーが存在するか否かを判断できるように認証手順を実行するために提供される。モバイル機器１０は、主制御部２３に接続された無線機器であり得る。さらに、モバイル機器１０は、スマートウォッチ、スマートリング、スマートイヤリング、スマートネックレス、スマートキーチェーンなどであるウェアラブル機器、または、スマートフォンやタブレットパソコンなど、ユーザーが自分で持ち運ぶポータブル電子機器であり得る。
【００３２】
本実施形態では、モバイル機器１０およびイベント管理装置２０の認証部２４は、Ｂｌｕｅｔｏｏｔｈ（登録商標）、Ｂｌｕｅｔｏｏｔｈ Ｌｏｗ Ｅｎｅｒｇｙ（登録商標）、Ｚｉｇｂｅｅ、ＷｉＦｉまたは他の無線プロトコルなどの無線手段によって認証を実行する。
【００３３】
認証部２４は、有線または無線によって主制御部２３に接続されており、モバイル機器１０をスキャンするための少なくとも１つのワイヤレスモジュールを含む、またはモバイル機器１０に接続される。
【００３４】
また、主制御部２３がイベント管理方法を実行する前に、モバイル機器１０は、認証部２４がモバイル機器１０の登録情報を記録するように、認証ユニット２４で登録を実行しなければならない。認証部２４がモバイル機器１０の登録を完了した後、認証部２４での登録を終えたモバイル機器１０は、認証部２４によって認証手順を通過すると見なされ、モバイル機器を携帯しているユーザーがイベント管理装置２０の近くにいることを示す。
【００３５】
主制御部２３は、認証部２４に認証手順の実行または終了を指示し、認証部２４は、認証結果を主制御部２３に転送する。例えば、認証部２４は、モバイル機器１０が認証手順を通過したか否かを判定すると、認証完了信号を生成して、主制御部２３に送信する。認証部２４は、モバイル機器１０の無線信号の検出に失敗した場合、認証失敗信号を生成して、主制御部２３に送信する。認証完了信号および認証失敗信号の両方がモバイル機器１０に関連する情報を有するので、主制御部２３は、現在認証手順を通過しているモバイル機器１０の数量および情報を知ることができる。
【００３６】
主制御部２３は、モバイル機器１０に関連する情報を記録するための認証済みモバイル機器リストを所有する。主制御部２３は、認証完了信号を受信すると、認証されたモバイル機器１０の情報を認証済みモバイル機器リストに追加する。主制御部２３は、認証失敗信号を受信すると、認証失敗信号に対応するモバイル機器１０の情報を認証済みモバイル機器リストから削除する。したがって、主制御部２３が認証済みモバイル機器リスト内の情報をチェックしている限り、主制御部２３は、次の状態を実行する基準として認証手順を現在完了しているモバイル機器１０の数量および情報を知ることができる。
【００３７】
イベント実行部２２は、主制御部２３によって生成されたホームイベント信号、主制御部２３によって発行された無人イベント信号または警戒イベント信号を有線または無線手段を介して受信し、受信した信号に対応するアクションを実行する。
【００３８】
図１Ａ、図１Ｂおよび図２に示すように、主制御部２３は、現在の活動モードを記録し、活動モードに関連するイベント信号を送信する。主制御部２３は、異なる４つのモード、即ち、無人モード、警報モード、警戒モードおよびホームモードを実行する。主制御部２３は、次のモードに切り替えた後、対応するイベント信号をイベント実行部２２に送信して、イベント実行部２２が新たに切り替えられたモードに従って対応するアクションを実行するようにする。
【００３９】
さらに、主制御部２３は、動作を開始するとき、無人モードまたはホームモードから開始し、モバイル機器１０が認証手順を通過する否かを判断するために、認証部２４を起動して認証手順を実行する。一実施形態では、ホームモードは、開始される好ましいモードである。
【００４０】
認証部２４を起動する前に、モバイル機器１０は認証部２４に登録しなければならない。
【００４１】
最も簡単な認証手順は、認証部２４がモバイル機器１０から送信された無線信号をスキャンし、認証部２４がモバイル機器１０から送信された無線信号内の機器情報をモバイル機器１０の登録情報と比較することである。
【００４２】
認証部２４は、現在認証手順が通過している各モバイル機器１０の情報と、モバイル機器１０から送信された無線信号を受信した時刻とを記録するための記録リストを有している。認証部２４は、登録されたモバイル機器１０から送信された無線信号が記録リストに記録されていない場合、受信した無線信号の情報と時刻を記録リストに追加し、モバイル機器１０の情報を含む認証完了信号を発行する。認証部２４は、モバイル機器１０から送信された無線信号を受信し、無線信号の情報と時刻を記録リストに記録すると、無線信号を受信した時刻を現在時刻に更新する。現在時刻と記録リストに記録された時刻との間の時間差が予め設定された存続時間よりも長いことを認識すると、モバイル機器１０が認証部２４の近くになかったことを示し、認証部２４は、モバイル機器１０の情報を記録リストから削除し、モバイル機器１０の情報を含む認証失敗信号を発行する。
【００４３】
例えば、図４に示すように、認証手順の実施形態は、認証部２４によって実行されるスキャンベースの認証手順であり、以下のステップを含む。
【００４４】
ステップＳ４０１：モバイル機器から送信された無線信号を受信したか否かを判断する。無線信号を受信すると、ステップＳ４０２を実行する。そうでない場合は、ステップＳ４０７を実行する。
【００４５】
ステップＳ４０２：無線信号の機器情報が、モバイル機器の登録時の登録情報と同一であるか否かを判断する。機器情報が登録情報と一致する場合は、ステップＳ４０３を実行する。そうでない場合は、ステップＳ４０１を実行する。
【００４６】
ステップＳ４０３：モバイル機器が認証部に登録されると、無線信号の機器情報が記録リストに記録されているか否かを判断する。機器情報が記録されている場合は、ステップＳ４０４を実行する。そうでない場合は、ステップＳ４０５を実行する。
【００４７】
ステップＳ４０４：無線信号の機器情報に対応する記録時刻を現在時刻に変更して記録リストを更新し、ステップＳ４０１に戻る。
【００４８】
ステップＳ４０５：無線信号の機器情報および現在時刻を記録リストに記録する。
【００４９】
ステップＳ４０６：認証完了信号を生成して送信し、ステップＳ４０１に戻る。
【００５０】
ステップＳ４０７：記録リスト内の各機器情報に対応する記録時刻と現在時刻との間の時間差が、予め設定された存続時間よりも長いか否かを判断する。時間差が予め設定された存続時間よりも長い場合、ステップＳ４０８を実行する。そうでない場合は、ステップ４０１を実行する。
【００５１】
ステップＳ４０８：記録時刻から現在時刻までの時間差が予め設定された存続時間を超える機器情報を記録リストから削除し、認証失敗信号を生成し、ステップＳ４０１を再開する。
【００５２】
モバイル機器１０の無線信号は、意図的な当事者の傍受を受ける可能性があるため、高度な接続ベースの認証手順が機能する。登録を完了したモバイル機器のみが接続を確立できることを考慮して、認証部２４がモバイル機器１０との接続を確立すると、モバイル機器は認証手順を通過すると見なされる。
【００５３】
別の実施形態では、モバイル機器は、登録なしで接続を確立するためにパスワードを保存することができる。例えば、認証部２４は、Ｗｉｆｉアクセスポイント（ＡＰ）であり、モバイル機器１０は、ユーザーのスマートフォンであり、スマートフォンは、Ｗｉｆｉ ＡＰにログインできるパスワードを保存する。したがって、スマートフォンがＷｉｆｉ ＡＰにログインすると、スマートフォンはＷｉｆｉ ＡＰとの接続を確立でき、スマートフォンは認証手順を通過したと見なされる。
【００５４】
スキャンベースの認証手順と同様に、接続ベースの認証手順も、現在認証手順が通過している各モバイル機器１０を記録する記録リストを含む。接続が確立された後、認証部２４は、接続されたモバイル機器１０に関連する情報を記録リストに追加し、モバイル機器１０の情報を含む認証完了信号を発行する。モバイル機器が認証部２４との接続を失った後、認証部２４は、切断されたモバイル機器１０の情報を記録リストから削除し、切断されたモバイル機器１０の情報を含む認証失敗信号を発行する。
【００５５】
例えば、図５に示すように、認証手順の別の実施形態は、認証部によって実行され、以下のステップを含む。
【００５６】
ステップＳ５０１：認証部が登録されたモバイル機器との接続を正常に確立したか否かを判断する。接続が正常に確立した場合は、ステップＳ５０１を実行する。そうでない場合は、ステップＳ５０４を実行する。
【００５７】
ステップＳ５０２：接続が正常に確立したモバイル機器の機器情報を記録リストに記録する。
【００５８】
ステップＳ５０３：認証完了信号を生成して送信し、ステップＳ５０１に戻る。
【００５９】
ステップＳ５０４：モバイル機器が正常に確立した接続を失ったか否かを判断する。モバイル機器が接続を失った場合は、ステップＳ５０５を実行する。そうでない場合は、ステップＳ５０１を実行する。
【００６０】
ステップＳ５０５：接続が正常に確立してからその接続を失ったモバイル機器を記録リストから削除する。
【００６１】
ステップＳ５０６：認証失敗信号を生成し、ステップＳ５０１を再開する。
【００６２】
無人モードに入った後、主制御部２３は、無人イベント信号を少なくとも１つのイベント実行部２２のそれぞれに送信する。無人モード中、主制御部２３は、少なくとも1つの検出部２１のいずれかから送信されたイベント起動信号を監視する。主制御部２３が無人モード中にイベント起動信号を受信すると、監視領域への侵入があったことを示す。これにより、主制御部２３は、警告モードを実行するように切り替える。
【００６３】
認証部２４が無人モード中に各モバイル機器１０に対して認証手順を実行し、少なくとも１つのモバイル機器１０が認証手順を通過したと判断すると、少なくとも１人のユーザーが監視領域に戻ったことを示す。これにより、認証部２４は、主制御部１０がホームモードでの動作に切り替えるための認証完了信号を生成する。
【００６４】
主制御部２３は、警告モードを実行する場合、警告イベント信号を生成して対応するイベント実行部２２に送信し、計時部２５の計時を停止およびリセットする。主制御部２３は、認証完了信号を受信すると、モバイル機器１０が認証手続きを通過したと判断する。計時部２５の経過時間が予め設定された存続時間を超える前にいずれかのモバイル機器１０が認証手順を通過した場合、主制御部２３はホームモードを実行する。計時部２５の経過時間が予め設定された存続時間を超える前にモバイル機器１０が認証手順を通過しない場合、主制御部２３は警告モードを実行する。
【００６５】
モバイル機器１０はユーザーによって携帯され、ユーザーが無線通信の限界近くを移動する可能性があるため、モバイル機器１０が主制御部２３との接続および切断を繰り返すことを引き起こし、イベント実行ユニット２２は対応する電気機器を繰り返しオンおよびオフする可能性がある。そのため、電気機器の寿命を縮める可能性がある。さらに、電力を節約するために、モバイル機器１０は、強度が低い無線信号またはより遅い通信プロトコルを伴う仕様を選択することができる。その結果、主制御部２３がイベント起動信号を受信したとき、モバイル機器１０はまだ認証手順を通過しておらず、誤警報がユーザーを混乱させる。
【００６６】
しかしながら、イベント起動信号の生成と警戒モードの実行の間には遅延があるため、イベント実行部２２が画像レコーダまたはサウンドレコーダである場合、警戒イベント信号の受信後に記録を開始すると、重要な画像が記録されない場合がある。したがって、イベント実行部２２が画像レコーダまたはサウンドレコーダである場合、イベント実行部２２は、重要な情報の欠落を回避するために、警告イベント信号を受信したときに記録を開始する必要がある。イベント実行部２２は、警告モードを実行してホームイベント信号を受信した場合、この記録情報を、さらに削除してプライバシーを保護したり、記録スペースが足りなくなった場合に優先的に削除したりすることができる。警告モードを実行した後、ユーザーが介入するか他のイベント信号を受信するまで、情報は継続的に記録される。
【００６７】
警戒モードに入った後、主制御部２３は、対応するイベント実行部２２に警戒イベント信号を送信し、ユーザーの介入を待ち、ユーザーの介入が検出された後に、無人モード設定信号またはホームモード設定信号を受信したか否かを判断する。ユーザーの介入が検出された後、ユーザーは、無人モードまたはホームモードに戻る要求に基づいて主制御部２３を構成することができる。例えば、ユーザーは、警戒モードで３０分経過すると無人モードに自動的に切り替えるように主制御部２３を構成したり、認証部２４がモバイル機器１０との接続を確立して、モバイル機器１０が認証手順を通過したと判断した後に、ホームモードに入るように主制御部２３を構成したりできる。さらに、検出部２１の誤動作または猫または犬が侵入した際、ユーザーが安全上の懸念がないことを確認した後、主制御部２３が、モバイル機器１０またはネットワークによるリモートエンドから送信された設定信号を受信して、無人モードまたはホームモードに切り替える操作および付属操作は、ユーザーの裁量にある場合がある。
【００６８】
ホームモードに入った後、主制御部２３は、ホームイベント信号を各イベント実行部２２に送信する。主制御部２３は、認証部２４から送信された認証失敗信号を受信し、モバイル機器１０が認証された位置にないと判断すると、家に誰もいないことを示し、主制御部２３は、無人モードに切り替える。
【００６９】
イベント実行部２２は、主制御部２３から送信されたイベント信号に従って対応するアクションを実行する。
【００７０】
図３に示すように、イベント管理装置２０の動作が示されている。イベント管理装置２０は、スマートフォンと、少なくとも１つの検出部２１とを含む。スマートフォンには、ソフトウェアアプリケーションがインストールされており、主制御部２３、認証部２４および複数のイベント実行部２２が含まれる。イベント管理装置２０のユーザーは、認証部２４を介して登録および認証されるスマートキーチェーンを所持する。主制御部２３は、監視対象領域である部屋を制御するものであり、出入り口が２か所（メインゲート３１、窓３２）ある。２箇所の上部にそれぞれ設置された２つの磁気センサを検知部２１として、設置された２つの扉と窓が開いているか否かを検知する。また、部屋内に設置されたビデオレコーダ、サイレンスピーカ、照明器具をイベント実行部２２とする。
【００７１】
イベント管理装置２０のユーザーは、電気を節約するために家を出る前に自動的に照明器具を消すことを期待する。照明器具は無人イベント信号を処理できるように設計されている。つまり、無人イベント信号を受信すると、電力を節約するために照明器具が自動的にオフになる。
【００７２】
また、ユーザーは、監視領域への侵入時に、ビデオレコーダが録画を開始し、サイレンスピーカが警告サイレンを発して、侵入者を阻止することを期待している。したがって、ビデオレコーダとサイレンスピーカは、警戒イベント信号を処理するように設計されている。主制御部２３は、磁気センサから送信されたイベント起動信号を受信すると、警戒イベント信号をビデオレコーダおよびサイレンスピーカに送信し、ビデオレコーダおよびサイレンスピーカを起動し、警戒通知をネットワークを介してユーザーのスマートフォンに送信し、記録されたビデオをサーバにアップロードして、ユーザーが現在の部屋の状況を包括的に把握できるようにする。また、スマートフォンの録画モジュールも、上記のビデオレコーダと同様の機能を有するイベント実行部２２の一つとすることができる。
【００７３】
イベント実行部２２は、様々なイベントを処理することもでき、例えば、照明器具が警戒イベント信号を受け取った後に照明器具をオンおよびオフに切り替えて侵入者を追い払うか、または照明器具がホームイベント信号を受け取った後に照明器具を自動的にオンにするなど、ユーザーのニーズに合わせてユーザー構成とすることができる。
【００７４】
したがって、本発明は自動化システムに関する。ユーザーが監視地域を離れると、システムは関連する電化製品をオフにする。ユーザーが家に帰ると、システムは自動的に関連する電化製品をオンにします。ユーザーが監視領域に近づいて侵入しない場合、システムは関連機器をオンにしてユーザーに通知することもできる。
【００７５】
主制御部２３、検出部２１およびイベント実行部２２のそれぞれは、ハードウェアの一部またはソフトウェアの一部であり得る。実施形態では、主制御部２３、イベント実行部２２および検出部２１は、スマートフォン内の異なるソフトウェアアプリケーションであり得る。スマートフォンはドアに取り付けることができる。誰かがドアを開けると、検出部２１のアプリケーションが、スマートフォンの動きを検出し、イベント起動信号を主制御部２３のアプリケーションに送信して、主制御部２３のアプリケーションが、対応するイベント信号を対応するイベント実行部２２のアプリケーションに対して発行し、スマートフォンのビデオ記録モジュールをオンにするか、ユーザーにショートメッセージを記録または送信する。
【００７６】
あるいは、１つの検出部２１および対応するイベント実行部２２は、スマートビデオレコーダなどの同じハードウェアまたはソフトウェアに統合されて、誰かが監視領域に侵入したか否かを検出することができる。監視領域に誰かが侵入すると、イベント起動信号が主制御部２３に送信される。主制御部２３は、監視領域にユーザーがいないと判断した場合、警告イベント信号をスマートビデオレコーダに送信し、スマートビデオレコーダは記録を開始する。本実施形態では、スマートビデオレコーダは、検出部２１およびイベント実行部２２の両方である。
【００７７】
検出部２１は、主制御部２３から送信されたイベント信号を受信することもできる。例えば、検出部２１が赤外線ブレークビームセンサである場合、ユーザーが家に帰り、赤外線ブレークビームセンサがホームイベント信号を受信すると、主制御部２３は、赤外線ブレークビームセンサの赤外線送信機をオフにして、電力消費を削減し、センサの寿命を延ばす。
【００７８】
関連するイベント信号を受信した後、イベント実行部２２は、さらに現在の環境条件を考慮に入れてもよい。例えば、１つのイベント実行部２２は、現在の環境の輝度を検出し、ホームイベント信号を受信すると現在の環境の輝度を参照し、輝度が十分でない場合に照明器具を自動的にオンにする輝度計を備えた照明器具である。
【図１Ａ】
2020191078.tif 000003
【図１Ｂ】
2020191078.tif 000004
【図２】
2020191078.tif 000005
【図３】
2020191078.tif 000006
【図４】
2020191078.tif 000007
【図５】
2020191078.tif 000008